(57)【特許請求の範囲】
【請求項１】
染毛用塗布部の導出口に胴部を可撓性蛇腹状に形成し、一端に染毛用塗布部の導出口と嵌合する注出口を設けた洗浄用具の注出口が密着するように嵌合させ、染毛用塗布部を水中に沈めたまま洗浄用具の底部を指で押す操作を繰り返すことにより、水流で塗布部内に残留する染毛料を櫛歯の吐出口から排出させることを特徴とする染毛用塗布部の洗浄方法。
【発明の詳細な説明】
【０００１】
【産業上の利用分野】
本発明は、染毛用塗布部と容器からなる染毛用具の塗布部の詰まりを防止するための洗浄用具および洗浄方法に関する。
【０００２】
【従来の技術】
従来、容器やチューブに充填された染毛料は、直接手にとって毛髪へ塗布するか、あるいはブラシやハケを用いて塗布されていた。しかし、この操作は面倒であり、また周囲に飛び散り汚染する恐れがあり、また毛髪に均一に塗布するには、ある程度の熟練が必要であった。
【０００３】
そこで、図９および図１０のように可撓性プラスチック容器に染毛料を収容し、あるいは図１４および図１５のようにエアゾール容器の中に内袋を設けた二重容器の内袋内に染毛料を充填し、毛髪に塗布するための塗布部を取り付けることにより、容易に毛髪に塗布することができ、しかも周囲に飛び散って汚染する恐れもない塗布具付き染毛用具が新規に開発された。これらの染毛用具の塗布部は櫛歯の幅が櫛歯の厚みよりも大きく、注出口が櫛歯の対抗する面に設けられ、櫛歯の形状を略三角形の形状とすることにより、櫛歯の間に十分な量の染毛料を保持することができ、しかも頭皮を汚染することもないという優れた効果を有するものである。
【０００４】
【発明が解決しようとする課題】
しかし、使用後、放置すると塗布部内に残留する染毛料が乾燥固化するため目詰まりを起こし、次回使用する際に使用できないという問題があった。また、使用後に水洗いしても残留染毛料を十分に除去することは困難であった。
【０００５】
【課題を解決するための手段】
そこで本発明者は、染毛用塗布部の導出口に胴部を可撓性蛇腹状に形成し、一端に染毛用塗布部の導出口と嵌合する注出口を設けた洗浄用具の注出口が密着するように嵌合させ、染毛用塗布部を水中に沈めたまま洗浄用具の底部を指で押す操作を繰り返すことにより、水流で塗布部内に残留する染毛料を櫛歯の吐出口から排出させることを特徴とする染毛用塗布部の洗浄方法により、残留染毛料を十分に除去することができ、目詰まりも起こさないことを見いだした。
【０００６】
図９および図１０のように可撓性プラスチック容器に染毛料を収容し、その上部に塗布部を取り付けた染毛用具において、使用後、肩カバーから上部を回転させて容器から取り外す。次に塗布部の導出口の内側に本発明の洗浄用具の注出口の外側が密着するように嵌合し、塗布部を水中に沈めたまま底部を指で押す操作を５〜２０回程度繰り返すことにより、水流で塗布部内に残留する染毛料を櫛歯の吐出口から排出させることができた。ここで、塗布部の導出口は凹状に形成されているので、洗浄用具の注出口の先端にやや径を小さくした口部先端を設けた多段構造に形成することにより、密着度を高め、さらに水圧を高めることができるので特に好ましい。
【０００７】
また、図１４および図１５のようにエアゾール容器の中に内袋を設けた二重容器の内袋内に染毛料を充填し、毛髪に塗布するための塗布部を取り付けた染毛用具において、使用後肩カバーから上部を取り外す。次に塗布部の導出口の外側に本発明の洗浄用具の注出口の内側が密着するように嵌合し前記と同様の操作で塗布部内に残留する染毛料を櫛歯の吐出口から排出させることができた。ここで、塗布部の導出口は凸状に形成されているので、当該導出口を洗浄用具の注出口の内側になるように差し込み、密着度を高め、さらに水圧を高めることができる。
【０００８】
本発明の染毛用塗布部洗浄用具はポリエチレン、ポリプロピレン、ビニール、ナイロン等の合成樹脂製であり、胴部は可撓性蛇腹状に形成され、その一端には染毛用塗布部の導出口と嵌合する注出口が設けられる。
【０００９】
なお、ここで使用される染毛料としては、酸性染料および／または顔料、または過酸化水素、酸化染料、金属塩あるいは植物性染料からなるジェル状、ゲル状、クリーム状あるいはペースト状などの粘稠な染毛料が挙げられる。
【００１０】
【実施例】
本発明を添付図面にそって詳細に説明するに、図１は本発明の洗浄用具の第一実施例の正面図、図２は注出口一部拡大断面図、図３は左側面図、図４は右側面図である。図５は本発明の洗浄用具の第二実施例の正面図、図６は注出口一部拡大断面図、図７は左側面図、図８は右側面図である。
【００１１】
図１は本発明の洗浄用具の第一実施例である。胴部２は可撓性蛇腹状に形成され、底部４を指で押すと収縮し、指を離すと元の形に復元する。底部４とは反対側に注出口３を設け、更にその先に注出口３よりも径の小さい口部先端５を設けた。
【００１２】
胴部４の蛇腹の頂点６に対する径ａ１は１７〜２５ｍｍ、例えば２１．７ｍｍであり、底部の径ｂ１は径ａ１よりも５〜１５％小さく１５〜２３ｍｍ、例えば１０％程度小さく１９．７ｍｍにすることにより、指で底部４を押す場合に力を入れやすく、蛇腹状胴部２の収縮・復元をスムースに行うことができる。また胴部２の蛇腹の谷部の頂点７の径ｃ１は１２〜１８ｍｍ、例えば１５．６ｍｍであり、蛇腹の隣接する頂点６の距離ｄ１は３〜６ｍｍ、例えば４．５ｍｍであり、頂点６の数は５〜１０個、例えば図１のように７個であり、胴部２の長さｅ１は３０〜３６ｍｍ、例えば３３．５ｍｍとすることにより、胴部２の収縮・復元をより一層スムースに行うことができる。
【００１３】
注出口３の径ｆ１は１０〜１４ｍｍ、例えば１２ｍｍであり、その長さｉ１は１５〜２３ｍｍ、例えば１９ｍｍである。
【００１４】
口部先端５の径ｇ１は８〜１２ｍｍ、例えば９．６ｍｍであり、更にその先端８の径ｈ１は７〜１１ｍｍ、例えば８．９ｍｍであり、その長さｊ１は７〜１３ｍｍ、例えば１０．５ｍｍである。
【００１５】
一方、図９および図１０に示す染毛用具は、可撓性プラスチック容器４５に染毛料を収容しその上部に塗布部２１を取り付けたものである。
【００１６】
図１１は塗布部の拡大一部断面図、図１２は櫛歯のＢ−Ｂ線での拡大断面図、図１３は櫛歯の拡大断面図である。
【００１７】
図９〜図１３における２１は塗布部、２２は櫛歯、２３は内部に支持体空洞２９が形成された支持体である。櫛歯２２は図１１のように支持体空洞２９と連通する中空状に構成されており、支持体２３に対し約２〜５ｍｍ程度、たとえば３．５ｍｍのピッチで約１０〜２０本程度植設されている。
【００１８】
櫛歯２２は、一本ずつ支持体２３へ植設してもよいが、支持体２３への取付け工程を効率化するために、図１１のように櫛歯２２の基部側の連結部２０により連結されていることが好ましい。また両端の櫛歯２２は支持体２３と一体成形されており、内側の櫛歯２２とは別に構成されている。４５は内部に染毛料を収容する容器、４４は塗布部２１と容器４５とを連結する肩カバーである。
【００１９】
櫛歯２２の形状は図１１〜図１３に示すように略三角形の形状である。支持体２３側の三角形の底辺付近の最大幅ａ３は図１２に示すように２ｂ１と２ｂ２の二辺が最も広がった幅であり、その範囲は９〜１５ｍｍ、例えば１２ｍｍである。頂点から底辺に下ろした垂線に相当する高さｂ３は図１２に示す通り、頂点２ｃから底辺２ａに下ろした垂線の長さであり、その範囲は１７〜２６ｍｍ、例えば２１ｍｍである。又、ａ３とｂ３の比は１：１．５〜１：２．５である。
【００２０】
また、櫛歯の二辺２ｂ１と２ｂ２は直線でも良いが、ややふくらみを持たせることにより染毛液が垂れ落ちることなく、保持量を多くした。２ｂ１と２ｂ２は半径４５〜７５ｍｍ、例えば６０ｍｍの円弧に相当する曲線である。
【００２１】
なお、略三角形の各頂点は丸めることにより使用上、頭皮を傷つけないように形成されている。頂点２ｃは半径０．５〜２ｍｍ、例えば１ｍｍの円弧、底辺２ａの両側２ｄは半径１〜３．５ｍｍ、例えば１．７ｍｍの円弧である。
【００２２】
図１３に示すように櫛歯２２の先端側の厚みｆ３は１．５〜２．５ｍｍ、例えば２．０ｍｍ、支持体２３側の厚みｇ３は２．０〜３．０ｍｍ、例えば２．５ｍｍである。又、ｆ３とｇ３の厚みの差は０．２〜１．０ｍ、例えば０．５ｍｍである。櫛歯２２の厚みｇ３／幅ａ３は０．１５〜０．２５、例えば０．２１である。
【００２３】
隣接する櫛歯２２間の距離（間隔）は櫛歯２２の先端側の厚みｆ３が支持体２３側の厚みｇ３よりも小さく構成されているので、この間隔は先端側が支持体２３側よりも大きく、即ち、先端側の間隔ｈ３は１〜３ｍｍ、例えば１．５ｍｍ、支持体２３側の間隔ｉ３は０．５〜２ｍｍ、例えば１．０ｍｍである。又、ｈ３とｉ３の寸法差は０．２〜１ｍｍ、例えば０．５ｍｍである。
【００２４】
２７は染毛料が吐出される吐出口であり、櫛歯２２の先端から吐出口２７までの距離ｃ３は図１２に示すように頂点２ｃから吐出口２７の中心点までの距離であり、その範囲は７〜１４ｍｍ、例えば１０ｍｍである。またこの吐出口２７の直径２ｒ１は１．５〜２．５ｍｍ、例えば１．９ｍｍである。なお吐出口２７の断面は円形、楕円状あるいは多角形などでもよいが、たとえば円形が好ましい。
【００２５】
図１３に示すように２８は容器４５から支持体空洞２９に吐出させられた染毛料を吐出口２７へ排出するために櫛歯２２の内部に形成された排出路であり、この排出路２８の内径ｅ３は０．８〜２．０ｍｍ、例えば１．５ｍｍ、支持体空洞２９を起点とした長さｊ３は１２〜２０ｍｍ、例えば１４．９ｍｍである。
【００２６】
支持体２３の排出口４２に図１１に示す塗布部２１を挿入することにより嵌着させる。また、排出口４２は図１１の櫛歯２２の数と同数設けられ、その内径は０．８〜２．０ｍｍの範囲であるが上方に位置する方を大きくすることにより、塗布部２１全体に均一に染毛料を供給することができる。排出口４２の全数の５０〜７５％に相当する数の上方に位置する排出口４２の内径を、残りの下方に位置する排出口４２の内径よりも５〜３５％大きくする。例えば排出口４２の全数が１４個に対して上方に位置する９個の内径を１．５ｍｍとし、残りの下方に位置する５個の排出口４２の内径を１．３ｍｍとする。
【００２７】
空気吸入弁４６は容器４５内に空気を取り入れるための弁である。容器４５を押圧して染毛料を排出した後、容器４５は元の形状に復元するが、その際に空気吸入弁４６から空気が流入する。なお、容器４５内の空気が空気吸入弁４６から外に出ることはない。
【００２８】
以上の如く構成された染毛用塗布具は、櫛歯２２の幅が櫛歯２２の厚みよりも大きく、吐出口２７が櫛歯２２の対抗する面に設けられ、なおかつ櫛歯２２の形状を略三角形の形状とすることにより、櫛歯２２の間に十分な量の染毛料を保持することができるので染毛操作を効率的に行うことができる。また、櫛歯２２の形状を略三角形の形状とすることにより、染毛料は櫛歯２２の根元付近により多く保持され、逆に櫛歯２２の先端側に近くなるほど染毛料の保持量は少なくなるので、頭皮への染着を防ぐことができる。吐出口２７が櫛歯２２の対抗する面に設けられているので、染毛料が飛散して周囲を汚染する恐れもない。
【００２９】
なお、塗布部２１を透明な材質で成形することにより、染毛操作を行う際に染毛料が櫛歯２２に適量供給されているか否かを視覚的に判別しやすい。また、染毛操作後に目詰まりを防ぐために肩カバー４４を容器４５から取り外して、あるいは塗布部２１を取り外して洗浄する際にも、塗布部２１および支持体２３を透明にすることにより視覚的に確認できる。
【００３０】
上記の染毛用塗布具は、容器４５を手に持ち塗布部２１を下にして容器４５の胴部を押圧することにより、染毛料を肩カバー空洞４１、支持体空洞２９を通り、排出路２８から櫛歯２２の吐出口２７へ排出させる。そして、櫛歯２２の間に染毛料が適量保持された状態で毛髪を梳かすことにより染毛操作を行なう。
【００３１】
染毛操作後、肩カバー空洞４１、支持体空洞２９、排出路２８、櫛歯２２の吐出口２７には染毛料が残留しており、水洗い程度では十分に除去することができない。特に支持体空洞２９、排出路２８、吐出口２７には染毛料が残留しやすく、そのまま放置すると乾燥固化し、次回使用する際に目詰まりを起こして使用できなくなる恐れがある。しかし、本発明の洗浄用具を使用すると支持体空洞２９、排出路２８および吐出口２７に残留する染毛料を簡単に除去することができた。
【００３２】
すなわち、使用後、肩カバー４４から上部を回転させて容器４５から取り外す。次に図１６に示すように塗布部２１の導出口４０の内側に本発明の洗浄用具１の注出口３の口部先端５の外側が密着するように嵌合し、塗布部２１を水中に沈めたまま底部４をＡの方向へ指で押す操作を１０回程度繰り返すことにより、水流で塗布部２１内に残留する染毛料を櫛歯２２の吐出口２７から排出させることができた。ここで、塗布部２１の導出口４０は凹状に形成されているので、洗浄用具１の注出口３の先端にやや径を小さくした口部先端５を設けた多段構造に形成することにより、密着度を高め、さらに水圧を高めることができた。
【００３３】
次に、図５は本発明の洗浄用具の第二実施例である。胴部１２は可撓性蛇腹状に形成され、底部１４を指で押すと収縮し、指を離すと元の形に復元する。底部１４とは反対側に注出口１３を設けた。
【００３４】
胴部１４の蛇腹部の頂点１６に対する径ａ２は２０〜２９ｍｍ、例えば２４．５ｍｍであり、底部の径ｂ２は径ａ２よりも５〜１５％小さく１７〜２７ｍｍ、例えば２０ｍｍにすることにより、指で底部１４を押す場合に力を入れやすく、蛇腹状胴部１２の収縮・復元をスムースに行うことができる。また胴部１２の蛇腹部の谷部の頂点１７の径ｃ２は１４〜２０ｍｍ、例えば１７ｍｍであり、蛇腹部の隣接する頂点の距離ｄ２は３〜６ｍｍ、例えば４．５ｍｍであり、頂点の数は４〜９個、例えば図５のように６個であり、胴部１２の長さｅ２は２３〜３５ｍｍ、例えば２９ｍｍとすることにより、胴部１２の収縮・復元をより一層スムースに行うことができる。
【００３５】
注出口１３の径ｆ２は１０〜１４ｍｍ、例えば１２ｍｍであり、長さｉ２は２２〜３４ｍｍ、例えば２７．７ｍｍである。更にその先端１８の径ｇ２は８〜１３ｍｍ、例えば１０．６ｍｍであり、長さｊ２は３〜５ｍｍ、例えば４ｍｍである。
【００３６】
図１４および図１５に示す染毛用具は、図９および図１０に示す塗布部２１、櫛歯２２、支持体２３と同一である。図１４および図１５に示すように、エアゾール容器２５の内部に内袋４０を設け、内袋４０の内部には第一実施例と同様の染毛料を充填する。また内袋４０とエアゾール容器２５の間に噴射剤として窒素ガスをガス充填栓４１より充填する。連結部３０はエアゾール容器２５の上部と嵌着部３６により嵌合する。そして肩カバー２４が上下動作可能に連結部３０に挿入される。なお、肩カバー２４は係止部３１により連結部の係止口３２と、使用後洗浄できるように取り外し可能に係合される。肩カバー２４は押下部２６を押し下げることにより、下方向に移動し、導出口３７がノズル３８を押し下げる。バルブ３９により内袋４０内の染毛料が噴射剤の圧力により押し出され、ノズル３８を通り、導出口３７へ排出され、肩カバー空洞３３、支持体空洞２９、排出路２８を通り、吐出口２７から排出される。そして、塗布部２１で毛髪を梳くことにより、染毛料を均一に毛髪に塗布することができる。塗布部２１は第一実施例と同一の構造であるので、櫛歯２２全体に均一に染毛料が供給され、垂れ落ちることもなく充分な保持量を持つことができるので、効率的に染毛操作を行うことができる。なお、肩カバー２４の上下動作がスムースになるように内部連結部３４をガイドとして設け、移動空間として連結部空洞３５を設けた。
【００３７】
図９の染毛用具と同様に、染毛操作後、肩カバー空洞３３、支持体空洞２９、排出路２８、櫛歯２２の吐出口２７には染毛料が残留しており、水洗い程度では十分に除去することができない。特に支持体空洞２９、排出路２８、吐出口２７には染毛料が残りやすく、そのまま放置すると乾燥固化し、次回使用する際に目詰まりを起こして使用できなくなる恐れがある。しかし、本発明の洗浄用具を使用すると支持体空洞２９、排出路２８および吐出口２７に残留する染毛料を簡単に除去することができた。
【００３８】
すなわち、使用後、係止部３１を指で押して肩カバー２４を連結部３０から取り外す。次に図１７に示すように塗布部２１の導出口３７の外側に本発明の洗浄用具１１の注出口１３の内側が密着するように嵌合し、塗布部２１を水中に沈めたまま底部１４をＡの方向へ指で押す操作を１０回程度繰り返すことにより、水流で塗布部２１内に残留する染毛料を櫛歯２２の吐出口２７から排出させることができる。ここで、塗布部２１の導出口３７は凸状に形成されているので、当該導出口３７を洗浄用具１１の注出口１３の内側になるように差し込み、密着度を高め、さらに水圧を高めることができるので好ましい。
【００３９】
なお、図１の第一実施例の洗浄用具の注出口３および口部先端５の内径を図１５の染毛用具の導出口３７の外径と嵌合するように設定することにより、図１０の染毛用具と図１５の染毛用具の塗布部の両方を洗浄することも可能である。
【００４０】
【発明の効果】
染毛用塗布部と容器からなる染毛用具の塗布部の詰まりを防止することができる。
【００４１】
【図面の簡単な説明】
【図１】本発明の洗浄用具の第一実施例の正面図である。
【図２】本発明の洗浄用具の第一実施例の注出口の一部拡大断面図である。
【図３】本発明の洗浄用具の第一実施例の左側面図である。
【図４】本発明の洗浄用具の第一実施例の右側面図である。
【図５】本発明の洗浄用具の第二実施例の正面図である。
【図６】本発明の洗浄用具の第二実施例の注出口の一部拡大断面図である。
【図７】本発明の洗浄用具の第二実施例の左側面図である。
【図８】本発明の洗浄用具の第二実施例の右側面図である。
【図９】本発明の第一実施例の洗浄用具を使用するための染毛用具の正面図である。
【図１０】本発明の第二実施例の洗浄用具を使用するための染毛用具の断面図である。
【図１１】図１０の塗布部の拡大一部断面図である。
【図１２】図１１の櫛歯のＢ−Ｂ線での拡大断面図である。
【図１３】櫛歯の拡大断面図である。
【図１４】本発明の第二実施例の洗浄用具を使用するための染毛用具の正面図である。
【図１５】本発明の第二実施例の洗浄用具を使用するための染毛用具の断面図である。
【図１６】本発明の第一実施例の洗浄用具を用いた洗浄方法を示す説明図である。
【図１７】本発明の第二実施例の洗浄用具を用いた洗浄方法を示す説明図である。
【符号の説明】
１，１１  洗浄用具
２，１２  胴部
３，１３  注出口
４，１４  底部
５  口部先端
【図１】
0003580913.tif 000002
【図２】
0003580913.tif 000003
【図３】
0003580913.tif 000004
【図４】
0003580913.tif 000005
【図５】
0003580913.tif 000006
【図６】
0003580913.tif 000007
【図７】
0003580913.tif 000008
【図８】
0003580913.tif 000009
【図９】
0003580913.tif 000010
【図１０】
0003580913.tif 000011
【図１１】
0003580913.tif 000012
【図１２】
0003580913.tif 000013
【図１３】
0003580913.tif 000014
【図１４】
0003580913.tif 000015
【図１５】
0003580913.tif 000016
【図１６】
0003580913.tif 000017
【図１７】
0003580913.tif 000018